(57)【要約】【課題】清潔感及び高級感を備えさせると共に、歩き易く、また履き心地を向上でき、しかも安価にする。【解決手段】草履１ａを、平板状の足底体３に鼻緒１０を所定の取付位置４に取り付けて構成する。足底体３を、例えば天然い草を用いて、利用者の足裏が接触する上面側の畳表５と、下面側の畳表６とを２枚重ね合わせて構成する。上面側及び下面側の畳表５，６を、前後方向に沿って畳み目が表されるように配設する。上面側及び下面側の畳表５，６の間に、２枚の型紙体１１，１３と弾力性を備えた１枚のクッション体１２とを挟み込む。【選択図】  図１
0003106228.tif 000002
【実用新案登録請求の範囲】
【請求項１】
上面及び下面に畳み目が表われるように畳表を少なくとも２枚重ね合わせてなる足底体と、足底体に取り付けられる鼻緒と、を有してなる、
ことを特徴とする草履。
【請求項２】
足底体の周縁に装飾帯体を設けてなる、
ことを特徴とする請求項１に記載の草履。
【請求項３】
上面側の畳表の畳み目が前後方向に沿って配設され、下面側の畳表の畳み目が左右方向に沿って配設されるように重ね合わせてなる、
ことを特徴とする請求項１又は２に記載の草履。
【請求項４】
足底体が、表側及び裏側の畳表の間にクッション体を備える、
ことを特徴とする請求項１乃至３のいずれかに記載の草履。
【請求項５】
足底体の表面に記入札を備える、
ことを特徴とする請求項１乃至４のいずれかに記載の草履。
【請求項６】
畳表が、天然い草からなる、
ことを特徴とする請求項１乃至５のいずれかに記載の草履。
【請求項７】
個別に収納する袋体に入ってなる、
ことを特徴とする請求項１乃至６のいずれかに記載の草履。
【考案の詳細な説明】
【技術分野】
【０００１】
本考案は、草履に関する。
【背景技術】
【０００２】
通常、旅館等の宿泊施設で使用される室内用の履物は、例えばスリッパを用いて、形状や色等を統一すると共に左右足兼用とするものであり、底面を合成樹脂材やカーペット地で形成したり、他の部分をいわゆるビニール地で形成することによって、安価に大量生産された型成形品である場合がほとんどである。また施設内において、このようなスリッパを履いた利用客の移動先としては、大浴場や宴会場等があげられる。一般的に、大浴場では、脱衣所の手前にスリッパを脱ぐ土間が設けられるのみで個人毎の下駄箱は設けられていない。座敷タイプの宴会場においても同様である。このような状況において、利用客が脱いだスリッパは、従業員が整理しない限り、雑然とした状態になる。
【考案の開示】
【考案が解決しようとする課題】
【０００３】
従って、利用客退場の際、たとえ十分に注意していたとしてもお互いのものを履き間違えたり、特に利用客数が多い場合には、他者のものと入り交じって判別が不可能となり、自分のものか否か不明のまま目前のものを不本意ながら履かなければならないことがあった。この状態に置かれた利用客の中には、実際に衛生上問題はなくても、清潔感に欠ける印象を受ける者もいる。また雑然と脱ぎ散らかされた状態にある統一外観のスリッパについては高級感に欠ける印象を受ける者もいる。このような否定的な印象は、宿泊施設全体のイメージ低下に間接的にでも結びつく恐れがある点で問題があった。
【０００４】
また脱衣所等の床が濡れていたり風呂上がりにおいては、足の裏が濡れた裸足のままスリッパを履くこともあるが、スリッパの足底がビニール地等の吸湿性の低い合成樹脂材からなる場合には、べたつきが生ずるため履き心地が悪くなる点で問題があった。
また、掃除の行き届いた十分に磨き上げられた床や廊下を歩く際、樹脂材料やカーペット地からなるスリッパでは、雨天等の高湿の場合は特に、床面に対してひっかかりが強すぎて、歩きにくい点で問題があった。
【０００５】
そこで、本考案は上記問題点に鑑み、清潔感及び高級感を備えさせると共に、床面に対して適度な滑りを発生させて歩き易くでき、また履き心地を向上でき、しかも安価にできる草履とその収納袋を提供することを課題とする。
【課題を解決するための手段】
【０００６】
上記課題を解決するため、請求項１の考案に係る草履は、上面及び下面に畳み目が表われるように畳表を少なくとも２枚重ね合わせてなる足底体と、足底体に取り付けられる鼻緒と、を有してなるように構成される。
【０００７】
請求項２の考案に係る草履は、足底体の周縁に装飾帯体を設けてなるように構成される。
【０００８】
請求項３の考案に係る草履は、上面側の畳表の畳み目が前後方向に沿って配設され、下面側の畳表の畳み目が左右方向に沿って配設されるように重ね合わせて構成される。
【０００９】
請求項４の考案に係る草履は、足底体が、表側及び裏側の畳表の間にクッション体を備えるように構成される。
【００１０】
請求項５の考案に係る草履は、足底体の表面に記入札を備えるように構成される。
【００１１】
請求項６の考案に係る草履は、畳表が天然い草からなるように構成される。
【００１２】
請求項７の考案に係る草履は、個別に収納する袋体に入ってなるように構成される。
【考案の効果】
【００１３】
請求項１の考案によれば、足底体の上面に畳み目が表わされるようにしたので、畳特有の複雑な質感を備えさせることができる。従って、足底体にわざわざ畳を用いた印象を利用者に与えることが可能となり、画一的で個性のない統一外観を備える型成形品に比較して、草履全体から受ける印象に高級感を備えさせることが可能となる。また、大規模な型成形用装置を使用すること無く製造できるので、設備投資を抑えて製造コストを安価にできる。さらに、足底体の下面に畳み目が表わされるようにしたので、細かな凹凸面によって適度な滑りを発生させて歩きやすくできる。
【００１４】
請求項２の考案によれば、周縁に装飾帯体を設けたので、畳表とは色調の異なる縁取りを施すことができ、装飾帯体があたかも畳縁に相当するように見せることが可能となる。
【００１５】
請求項３の考案によれば、上面側の畳表について前後方向に沿って畳み目を配設したので、進行方向に対して畳み目の配列方向を一致させることが可能となり、利用者の足裏に対するひっかかり程度を高め、脱げにくくできる。さらに、下面側の畳表について左右方向に沿って畳み目を配設したので、進行方向に対して畳み目の長手方向を一致させることが可能となり、床面に対して適度な滑りを発生させて歩き易くできる。また上面側と下面側との畳表の畳み目を直交させることで、各面の畳み目に沿う折れ曲がり易さをお互いに補助して構造強度を増すことでき、型くずれを防ぐことができる。例えば、上面側及び下面側の畳表の２枚のみから足底体を形成でき、厚みを薄くして通気性を高め、構成部材の点数を減らして軽量化でき製造コストを低減できる。
【００１６】
請求項４の考案によれば、足底体を、表側及び裏側の畳表の間にクッション体を備えるように構成したので、床面の凸凹による違和感をなくすと共に衝撃を吸収可能となり、履き心地を向上できる。さらに吸湿性や透湿性の高い材料を用いれば、特に素足のまま履いてもべたつき感を低減でき、履き心地を向上できる。
【００１７】
請求項５の考案によれば、足底体の表面に記入札を備えたので、個人及び団体の名前や判別記号等を記入することができ、例えば大浴場の土間に多数脱ぎ散らかされた状態であっても、目的のものを簡単に見つけ出すことができる。
【００１８】
請求項６の考案によれば、畳表を天然い草からなるように構成したので、軽量化でき、素材特有の高い吸湿性を備えさせることができ、風呂上がり等の多汗状態にある利用客が履いた場合であっても、ベタつき感を低減でき、履き心地を向上できる。また独特の匂いを発散させることができ、視覚的な高級感に加えて、臭覚から受ける高級感を備えさせることが可能となる。
【００１９】
請求項７の考案によれば、例えば大浴場や宴会場等で草履を脱いだ後、その草履を個別に袋体に収納して身近に置くことができる。よって雑然とした脱ぎ散らかし状態を無くして、他者のものを履く恐れをなくすことができ、清潔感を向上可能となる。
【考案を実施するための最良の形態】
【００２０】
以下、本考案の実施の形態を図面に基づいて説明する。図１は、本考案に係る草履の一実施形態を示す分解説明図であり、図２は、本草履の組付状態を示す斜視説明図である。本実施形態において、草履１ａは、平板状の足底体３に鼻緒１０を所定の取付位置４に取り付けて構成されている。足底体３は、例えば天然い草からなる畳表を所定の足形に沿って型取りして形成されている。また足底体３は、利用者の足裏が接触する上面側の畳表５と、地面或いは床面に接触する下面側の畳表６とを２枚重ね合わせて構成されている。上面側及び下面側の畳表５，６には、前後方向に沿って畳み目が表されている。さらに、上面側及び下面側の畳表５，６の間には、樹脂シート材を同一形状に型取り形成してなる２枚の型紙体１１，１３と弾力性を備えた１枚のクッション体１２とが挟み込まれている。
【００２１】
また、足底体３の周縁には、装飾帯体８が全周に亘って設けられている。装飾帯体８は、木綿地や麻地等の長尺細帯からなり、足底体３の重ね合わせた状態を覆い隠すとともに、上面及び下面において周縁から等幅に縁取りして装飾を施すように設けられている。足底体３の表面には、個人の名前等を記入するための記入札１５が設けられている。
【００２２】
以上の如く構成された草履１ａにおいては、足底体３の上面に畳み目が表わされるようにしたので、畳特有の複雑な質感を備えさせることができる。加えて、周縁に装飾帯体８を設けたので、畳表５，６とは色調の異なる縁取りを施すことができ、装飾帯体８があたかも畳縁に相当するように見せることが可能となる。従って、足底体３にわざわざ畳を用いた印象を利用者に与えることが可能となり、画一的で個性のない統一外観を備える型成形品に比較して、草履１ａ全体から受ける印象に高級感を備えさせることが可能となる。また、大規模な型成形用装置を使用すること無く製造できるので、設備投資を抑えて製造コストを安価にできる。特に、上面側の畳表５について、前後方向に沿って畳み目を配設したので、進行方向に対して畳み目の配列方向を一致させることが可能となり、利用者の足裏に対するひっかかり程度を高め、脱げにくくできる。さらに、足底体３の下面にも畳み目が表わされるようにしたので、細かな凹凸面によって適度な滑りを発生させて歩きやすくできる。
【００２３】
また足底体３を、表側及び裏側の畳表５，６の間にクッション体１２を備えるように構成したので、床面の凸凹による違和感をなくすと共に衝撃を吸収可能となり、履き心地を向上できる。さらに、足底体３の表面に記入札１５を備えたので、個人や団体の名前や判別記号等を記入することができ、例えば大浴場の土間に多数脱ぎ散らかされた状態であっても、目的のものを簡単に見つけ出すことができる。また、畳表５，６を天然い草からなるように構成したので、軽量化でき、素材特有の高い吸湿性を備えさせることができ、風呂上がり等の多汗状態にある利用客が履いた場合であっても、ベタつき感を低減でき、履き心地を向上できる。また独特の匂いを発散させることができ、視覚的な高級感に加えて、臭覚から受ける高級感を備えさせることができる。さらに廃棄する際には、燃えるゴミとして処分でき環境にやさしい。
【００２４】
また本草履１ａは、図３に示すように、袋体２１に入ってなるように構成されている。袋体２１は、重ね合わせた一対の草履１ａを個別に収納可能に形成され、袋体２１の収納口を閉じるための細径の閉じ紐２２とによって、草履袋２０を構成している。袋体２１は、一枚の長方形の不織布を二つ折りして各折り面の各辺を一致させ、折り辺を下辺として対向する両側辺を縫い合わせ、上辺側が開放された収納口となるように袋状に形成されている。両側辺を縫い合わせる際、各折り面の上辺にはその縁に沿って折りしろが確保されている。袋体２１には、各上辺の折りしろを縫い合わせることによって、閉じ紐２２を挿通するための挿通孔２３がその辺縁に沿って形成されている。また袋体２１の右側辺下部には、宿泊施設の名称等が記入された記入札２４が縫い付けられている。閉じ紐２２は、収納口の周縁よりも長く余長部を確保した全長となるように切り出して形成されている。そして閉じ紐２２は、袋体２１の各挿通孔２３に挿通された状態で、挿通孔２３の切れ目から余長部として引き出された両端が固結びされて取り付けられている。本草履袋２０は、草履１ａを収納した状態で、閉じ紐２２を引っ張り挿通孔２３を収縮させることによって、収納口を閉じるように構成されている。
【００２５】
以上の如く構成された草履１ａにおいては、例えば利用客が大浴場や宴会場等で草履を脱いだ後、その草履１ａを草履袋２０に収納して、夫々の脱衣かごや各自の懐等の身近に置くことができる。よって雑然とした脱ぎ散らかし状態を無くして、他者のものを履く恐れをなくすことができ、清潔感を向上可能となる。また袋体２１を不織布からなるように構成したので、材料を安価に調達可能となり、製造コストを低減できる。
【００２６】
図４は、本考案に係る草履の他の実施形態を示す分解説明図である。本草履１ｂは、上面側の畳表５の畳み目が前後方向に沿って配設され、下面側の畳表６の畳み目が左右方向に沿って配設されるように重ね合わせて構成されている。またこの畳表５，６の間には、吸湿性及び透湿性の高い樹脂材料を同一形状のシート状に型取り形成してなる中綿１６が設けられている。その他の構成は、図１の草履１ａの構成と同様である。
【００２７】
この草履１ｂによれば、上面側の畳表５について、前後方向に沿って畳み目を配設したので、草履１ａと同様の効果を得ることができる。さらに下面側の畳表６について、左右方向に沿って畳み目を配設したので、進行方向に対して畳み目の長手方向を一致させることが可能となり、床面に対して草履１ａよりも滑り易くできる。また上面側と下面側との畳表５，６の畳み目を直交させることで、各面の畳み目に沿う折れ曲がり易さをお互いに補助して構造強度を増すことでき、型くずれを防ぐことができる。よって例えば、上面側及び下面側の畳表５，６の２枚のみから足底体を形成することもでき、厚みを薄くして通気性を高め、構成部材の点数を減らして軽量化でき製造コストを低減できる。さらに畳表５，６の間に吸湿性及び透湿性の高い樹脂材料からなる中綿１６を設けたので、特に素足のまま履いてもべたつき感を低減でき、またクッション性を高めて履き心地を向上できる。
【００２８】
尚、本考案は上記実施形態に限定されるものではなく、以下に例示するように、本考案の趣旨を逸脱しない範囲で各部の形状並びに構成を適宜に変更して実施することも可能である。
（１）本考案に係る草履１ａ，１ｂは、左右同一形状となるように構成しても良い。
（２）型紙体１１，１３やクッション体１２には、吸湿性または透湿性を高めたものを使用することもできる。
（３）本考案に係る草履の袋体２１は、男女の別や、本館と別館、使用する地域等毎に、色付けしても良い。
【図面の簡単な説明】
【００２９】
【図１】本考案に係る草履の一実施形態を示す分解説明図である。
【図２】図１の草履の組付状態を示す斜視説明図である。
【図３】本考案に係る草履の他の実施形態を示す説明図である。
【図４】本考案に係る草履の他の実施形態を示す分解説明図である。
【符号の説明】
【００３０】
１ａ，１ｂ・・草履、３・・足底体、４・・取付位置、５・・上面側の畳表、６・・下面側の畳表、８・・装飾帯体、１０・・鼻緒、１１，１３・・型紙体、１２・・クッション体、１５・・記入札、１６・・中綿、２０・・草履袋、２１・・袋体、２２・・閉じ紐、２３・・挿通孔、２４・・記入札。
【図１】
0003106228.tif 000003
【図２】
0003106228.tif 000004
【図３】
0003106228.tif 000005
【図４】
0003106228.tif 000006